(57)【要約】      （修正有）【課題】外力によるイヤホン本体の耳介側からの脱落を防止する。【解決手段】音声ケーブル４と、電気音響変換装置を収納するとともに前記音声ケーブルを固定保持する筐体２と、該筐体に取り付けるイヤピース３と、耳甲介控底部の珠間切痕に当接する当接部とを備える。イヤピースが耳孔に挿入された状態で当接部が珠間切痕に当接することで、音声ケーブルの下方向への引っ張りに対抗することができ、外力によるイヤホン本体の耳介側からの脱落を防止することができる。【選択図】図１
2012085114.tif 000002
【特許請求の範囲】
【請求項１】
音声ケーブルと、
電気音響変換装置を収納するとともに前記音声ケーブルを固定保持する筐体と、
該筐体に取り付けるイヤピースと、
耳甲介控底部の珠間切痕に当接する当接部と、
を備えたイヤホン。
【請求項２】
前記当接部は、前記筐体に形成されている請求項１に記載のイヤホン。
【請求項３】
前記当接部は、前記イヤピースの下方位置に形成され、珠間切痕に当接する部分が角部になっている請求項２に記載のイヤホン。
【請求項４】
前記電気音響変換装置は、バランスドアマチュアユニットである請求項３に記載のイヤホン。
【請求項５】
前記当接部は、前記筐体とは異なる部材である軟質材で構成されている請求項１に記載のイヤホン。
【請求項６】
前記当接部は、前記音声ケーブルに設けられている請求項１に記載のイヤホン。
【発明の詳細な説明】
【技術分野】
【０００１】
本発明は、密閉イヤホンに係り、イヤホンを使用するとき、耳介側から容易に脱落しないようにする技術に関する。
【先行技術文献】
【特許文献】
【０００２】
【特許文献１】特開２００６−２０３４２０号公報
【背景技術】
【０００３】
従来より、各種音響機器や補聴器等においては、ヘッドホンが用いられ、イヤピースを外耳道に挿入して使用する、カナル型のヘッドホンとしてイヤホンが存在している。
このタイプのイヤホンは、遮音性能が極めて高いため、騒音の大きい場所でも細部の音まで聴くことができる。また、耳に合うかどうかが、個人によって異なり、音質や装着感などにも大きく影響する。
【０００４】
このイヤホンは、イヤピースが外耳道に挿入されることにより耳甲介側に保持される。そのとき、イヤホン本体は耳介の略中心である耳甲介腔に嵌合される。
【発明の概要】
【発明が解決しようとする課題】
【０００５】
しかしながら、このイヤホンは、イヤホンに音声信号を供給する音声ケーブルに外部から加重を受けた場合、イヤホン本体が耳介側から外れ易いという問題があった。
【０００６】
本発明はこのような状況に鑑みなされたもので、その発明が解決しようとする課題は、極めて簡易な手段により、イヤホン本体の耳介側からの脱落を防止する点にある。
【課題を解決するための手段】
【０００７】
本発明のイヤホンは、音声ケーブルと、電気音響変換装置を収納するとともに前記音声ケーブルを固定保持する筐体と、該筐体に取り付けるイヤピースと、耳甲介控底部の珠間切痕（内分泌点）に当接する当接部とを備えている。
当接部は、前記筐体に形成されたり、音声ケーブルに形成されればよい。また筐体とは異なる部材である軟質材で形成されてもよい。
また当接部は、前記イヤピースの下方位置に形成され、珠間切痕に当接する部分が角部になっているようにしてもよい。
このような本発明の構成の場合、イヤピースが耳孔に挿入された状態で当接部が珠間切痕に当接することで、音声ケーブルの下方向への引っ張りに対抗することができ、イヤホン本体の耳からの脱落を適切に防止できる。
【発明の効果】
【０００８】
本発明により、外力によるイヤホン本体の耳介側からの脱落を防止でき、良好な装着安定性を実現できる。特にケーブルの下方向への引っ張りに対し、イヤホン本体が耳介から容易に脱落しないという効果を奏する。これは、イヤピースが外耳道に挿入されることにより、イヤホンが耳甲介側に保持されるという本来の機能と本発明が付加されることにより生じるものである。
また、耳甲介控の珠間切痕は、男性、女性ホルモンの分泌を促すツボであり、イヤホンを装着するとそのツボを刺激することになり、健康増進の効果を期待できる。
【図面の簡単な説明】
【０００９】
【図１】第１の実施の形態を説明する図である。
【図２】第２の実施の形態を説明する図である。
【図３】第３の実施の形態を説明する図である。
【図４】イヤホンを装着する耳介側の構造を説明する図である。
【図５】電気音響変換装置としてバランスドアーマチュアユニットを使用した場合のイヤホン内部構造図である。
【図６】第１の実施の形態のイヤホンが耳介に装着される前後の状態を表す図である。
【図７】第３の実施の形態のイヤホンが耳介に装着される前後の状態を表す図である。
【発明を実施するための形態】
【００１０】
以下、発明を実施するための第１〜第３の実施の形態と変形例について説明していく。
＜第１の実施の形態＞
図１は、本発明に係るイヤホンの第１の実施の形態を表す図である。図４は、イヤホンを装着する耳介側の構造説明図である。また、図６は本実施例のイヤホンを耳介に装着する前後の状態を表す図である。
【００１１】
図１において、図１（ａ）は本実施の態様に係るイヤホンの側面図である。図１（ｂ）は、背面図である。
図１のとおり、本実施の形態のイヤホン１は、電気音響変換装置（図示していない）と音声ケーブル４を収納する筐体２と、その筐体２の側方側にある取付部２ｂに取り付けられるイヤピース３と、筐体２の下方の一端にあるケーブル保持部５に保持された音声ケーブル４と、筐体２の下端の角部として形成された当接部２ａとで構成されている。
筐体２は、合成樹脂材等で成形される。また、イヤピース３は柔軟性を有する材料、例えばシリコン等で成形される。
【００１２】
イヤピース３は、ユーザの外耳道に挿入される。イヤホン１の筐体２は、図４の耳介３０における耳珠３１と珠間切痕３２と対珠３３に囲まれた耳甲介控３４に装着される。このとき、当接部２ａは珠間切痕３２に当接して嵌合することになる。
したがって、筐体２と当接部２ａは、かかる状態にできるよう適宜の形状が付与されて形成する。
【００１３】
図６において、上図は本実施の形態のイヤホンを耳介に装着する前の状態を表す図である。下図はそのイヤホンを耳介に装着した後の状態を表す図である。
図６のとおり、イヤピース３を外耳道に挿入し、イヤホン１を耳介に装着したとき、筐体２の角部として形成された当接部２ａが珠間切痕３２に当接し勘合する。当接部２ａは、イヤピース３が外耳道に挿入された状態において珠間切痕３２に当接する位置と成るように、筐体２に角部が形成されているものである。
【００１４】
具体例としては、図１に示すように、当接部２ａは、イヤピース３の中心線から下方に８〜１４ｍｍで、音声ケーブル４の耳介側の引き出し位置から３〜９ｍｍに形成する。これにより、図６が示すように当接部２ａは珠間切痕３２に無理なく当接することになり、本実施例のイヤホン１の形状は、ほとんどの使用者の耳介に好適なものとなる。
【００１５】
このようにイヤピース３が外耳道に挿入された状態で当接部２ａが珠間切痕３２に当接することで、音声ケーブル４の下方向への引っ張りに対抗することができ、イヤホン本体の耳からの脱落を適切に防止できる。
また本例では、当接部２ａの珠間切痕３２に接触する側の形状は角状に形成する。これにより、嵌合状態が安定したものとなり、音声ケーブル４に加重がかかった場合のイヤホン１の抜け落ち防止効果を安定させる。
【００１６】
以上より、本実施の形態に係るイヤホン１は、外力によるイヤホン本体の耳介側からの脱落を防止でき、良好な装着安定性を実現できる。特にケーブルの下方向への引っ張りに対し、イヤホン本体が耳介から容易に脱落しないという効果を奏する。これは、イヤピースが外耳道に挿入されることにより、イヤホンが耳甲介側に保持されるという本来の機能と、当接部２ａと珠間切痕３２の当接が下方への引っ張りに抵抗する機能が付加されることにより生じるものである。
また、耳甲介控の珠間切痕３２は、男性、女性ホルモンの分泌を促すツボであり、イヤホンを装着するとそのツボを刺激することになり、健康増進の効果を奏する。
【００１７】
＜第２の実施の形態＞
図２は、本発明に係るイヤホンの第２の実施の形態を表す図である。この図で、図１ と同一とされる部位については同一符号を付し、同一内容についての説明は省略する。
本実施の形態においては、第１の実施の形態における当接部２ａを筐体２と相違する別の部材である当接部１１とする構造のものである。当接部１１は、シリコン等の軟質材で構成する。
【００１８】
この場合、当接部１１は、筐体２に接着等で固定されていても良いし、或いは着脱可能とし、ユーザが好みに合わせて選択できるようにしてもよい。
これにより、当接部１１は筐体２とは相違する所定の材質のものに固定して使用することができる。また、使用者の好みに合わせて取り替え可能とすることもでき、その大きさ、材質等を変更できる。
【００１９】
＜第３の実施の形態＞
続いて、第３の実施の形態について説明する。
図３は、本発明に係るイヤホンの第３の実施の形態を表す図である。図７は、本実施の形態のイヤホンを耳介に装着する前後の状態を表す図である。既に説明した部分と同様となる部分については同一符号を付して説明を省略する。
【００２０】
本実施の形態においては、第１の実施の形態における当接部２ａに相当する部位を音声ケーブル４に設け、当接部２１とする構造のものである。当接部２１は、筐体２の下方の近傍であり、音声ケーブル４に形成する。
【００２１】
図７において、上図は本実施の形態のイヤホンを耳介に装着する前の状態を表す図である。下図はそのイヤホンを耳介に装着した後の状態を表す図である。
図７のとおり、イヤピース３を外耳道に挿入し、イヤホン２０を耳介に装着したとき、音声ケーブル４に球形状に形成した当接部２１が珠間切痕３２に当接し勘合する。当接部２１はかかる状態になるよう音声ケーブル４に形成される。
【００２２】
この場合、当接部２１は、イヤピース３の中心線から下方に８〜１４ｍｍの位置の音声ケーブルに形成する。これにより、図７に示すように当接部２１は珠間切痕３２に無理なく当接することになり、本実施の形態のイヤホン１の形状は、ほとんどの使用者の耳介に好適なものとなる。
【００２３】
これにより、当接部２１が珠間切痕３２に当接でき、使用者はイヤホン２０を安定に装着できる。
【００２４】
＜変形例＞
以上、実施の形態としての各種の構造例を説明してきたが、本発明に係るイヤホンの構造は上記の実施例に限定されるものではない。イヤホンを構成する部分のいずれかの箇所に珠間切痕３２に当接できる角状または球形状等の当接部が形成されているものであればよい。
当接部の形状は角状、球状に限らず、多様な例が考えられる。いずれにしても珠間切痕３２への当接に適し、ユーザに装着時に違和感を感じさせない形状であることが好ましい。
【００２５】
また本発明に係るイヤホンの構造を実現するには、電気音響変換装置がバランスドアーマチュアユニットの場合が都合がよい。
そこで、電気音響変換装置がバランスドアーマチュアユニットの場合のイヤホン内部の構造について図５により説明しておく。
図５（ａ）に、イヤホン５０の構造例を示す。図５（ｂ）は図５（ａ）における一点鎖線で囲った部分の拡大図である。
図５（ａ）に示すように、前部筐体５２と後部筐体５１が接合されて、イヤホン筐体内の各空間が形成される。即ち前部筐体５２側の内部には音道管９０が形成される。また前部筐体５２と後部筐体５１によって、収納空間９１が形成される。また後部筐体５１側に、図示しない音声ケーブルが挿入、保持される音声ケーブル用空間９２が形成される。
前部筐体５２には、例えば柔軟性を有する材料で形成されたイヤピース３が例えば係合されて取り付けられる。この状態で、イヤピース３の放音孔３ａは、音道管９０と直線的に連通した状態となる。
【００２６】
本例の場合、電気音響変換装置４１が、収納空間９１内に固定配置される。電気音響変換装置４１のカバー体２７に音声出力孔２７ａが形成されている。図５（ａ）では、説明のため、破線により音声出力孔２７ａの位置を示している。
【００２７】
この図５（ａ）（ｂ）からわかるように、電気音響変換装置４１の音声出力孔２７ａは直接的に音道管９０と音響的に連結されている。即ち、電気音響変換装置４１は、その音声出力孔２７ａが音道管９０の端部５２ａに押しつけられる状態で収納空間９１内に配置されている。これにより音声出力孔２７ａが音道管９０に対向する状態となる。この場合、音道管９０の端に、音声出力孔２７ａを介して電気音響変換装置４１内部の振動板が配置されている構造ともいえる。
【００２８】
回路基板４８は、音声ケーブル用空間９２に挿通される図示しない音声ケーブル内の各線（Ｌチャンネル又はＲチャンネルのいずれかの音声信号線とグランド線）と接続され、電気音響変換装置４１内部のコイルには、Ｌチャンネル又はＲチャンネルのいずれかの音声信号に基づく駆動電流が流される。
駆動電流が流れることで、電気音響変換装置４１内部の振動板の振動により、音声出力孔２７ａから音が出力されるが、その音は、直接音道管９０に達し、イヤピース３の放音孔３ａからユーザの耳孔に達することになる。
【００２９】
このような構造例のイヤホン５０では、次のような効果が得られる。
まず、電気音響変換装置４１は、簡易な構成とできる。
また電気音響変換装置４１の音声出力孔２７ａは、比較的広い孔面積とでき、音質的な損失が生じないようにすることができる。
また電気音響変換装置４１をイヤホン５０の筐体内に取り付ける際には、電気音響変換装置４１を、その音声出力孔２７ａが音道管９０に対向するよう配置するのみである。したがって、取り付けが容易となり、製造工程が効率化できる。また、製造効率向上とともに部品点数の少ない簡易な構造であることでコストダウンにも有利である。
イヤホン筐体の小型化にも有利である。小型の筐体構造にできることで、耳介への干渉の少ない装着性の良好なイヤホンが実現できる。
またチューブ等を筐体内に収納する必要がないため、イヤホン筐体の内部構造のレイアウトも容易となる。
結論として、上記の本発明に係るイヤホンの各種実施の形態、特に第１の実施の形態を実現するためには、電気音響変換装置４１がバランスドアーマチュアユニットであり、図５の構成とすることが最も好適であることがわかる。
【００３０】
図５において、音声出力孔２７ａが、ケース体２６の上面において中央より長手方向に偏倚した位置に形成されている。
これは、図５のように電気音響変換装置４１がイヤホン筐体内に配置される場合に、音道管９０と対向させる位置とする場合に好適となる。
もし、音声出力孔２７ａがケース体２６の上面の中央付近に形成されると、図５のイヤホン構造において、電気音響変換装置４１を配置する空間を、イヤホンの上面（図面での上方）側に広くとらなければならない。イヤホン筐体の上面が高く（例えばイヤピース３の縁部と同等の高さなど）なると、その部分が耳孔挿入時にユーザの耳介にあたり、装着感が損なわれる場合がある。これに対して、音声出力孔２７ａを、ケース体２６の上面において中央より偏倚した位置に形成し、図５のように配置することで、イヤホン筐体の上面の高さを低くでき、ユーザに良好な装着感を提供できる。
但し、音声出力孔２７ａが、ケース体２６の上面中央に形成されていても、イヤホン筐体の構造によっては、良好な装着感のイヤホンを形成することも可能である。
【符号の説明】
【００３１】
１  イヤホン、２  筐体、２ａ  当接部、３  イヤピース、４  音声ケーブル、２６  ケース体、２７  カバー体、２７ａ  音声出力孔、３０  耳介、３１  耳珠、３２  珠間切痕、３３  対珠、３４  耳甲介控、９０  音道管、９１  収納空間、９２  ケーブル用空間
【図１】
2012085114.tif 000003
【図２】
2012085114.tif 000004
【図３】
2012085114.tif 000005
【図４】
2012085114.tif 000006
【図５】
2012085114.tif 000007
【図６】
2012085114.tif 000008
【図７】
2012085114.tif 000009